(57)【要約】【課題】位置情報に基づいて画像データの画調を変換できるようにする画像変換方法、画像変換装置、画像変換システム並びにプログラムを提供すること。【解決手段】画像表示装置１は、被写体を撮影する撮影素子（８）と、撮影された画像を記憶するメモリ（１４）と、撮像位置情報を取得するＧＰＳ制御部（２０）及びパラメータメモリ（４１０）を備える。また、画像表示装置１とインターネットを介して接続されるプリントサイト５５０やパーソナルコンピュータ５１０もＧＰＳ７００または７００を備え、表示位置情報を取得する。そして、撮像位置情報または表示位置情報のいずれかまたは両方に基づいて画調変換処理を行う。【選択図】      図２
2012134897.tif 000002
【特許請求の範囲】
【請求項１】
撮像された位置情報を有する画像データをインターネット経由で別の場所で表示する際に、前記画像データの有する撮像された位置情報または表示する場所の位置情報のいずれか若しくは両方に基づいて前記画像データの画調を変換することを特徴とする画調変換方法。
【請求項２】
撮像された位置情報を有する画像データをインターネット経由で別の場所で表示する際に、前記画像データの有する撮像された位置情報または表示する場所の位置情報のいずれか若しくは両方に基づいて前記画像データの画調を変換することを特徴とする画調変換方法。
【請求項３】
画像データをインターネット上のサーバーにアップする手段を有し、前記サーバー上で、前記サーバーの設置位置を示す位置情報に基づいて前記アップされた画像データの画調を変換することを特徴とする画調変換方法。
【請求項４】
インターネット上のサーバーから画像データをダウンロードし表示する際に、ダウンロードした位置情報に基づいて前記ダウンロードした画像データを画調変換することを特徴とする画調変換方法。
【請求項５】
撮像した位置情報が付加されている画像データを表示する際に、前記撮像した位置情報と表示する位置情報の関係に基づいて前記画像データの画調を変換することを特徴とする画調変換方法。
【請求項６】
前記位置情報はＧＰＳによって取得することを特徴とする請求項１ないし５いずれか一に記載の画調変換方法。
【請求項７】
複数種類の画調を備え、前記位置情報に応じて変換される画調の優先順位が変わることを特徴とする請求項１ないし５いずれか一に記載の画調変換方法。
【請求項８】
画像データを撮像する撮像手段と、
前記撮像手段により撮像された撮像位置を取得する撮像位置情報取得手段と、
前記撮像された画像データに前記撮像位置情報を付加し、該撮像位置情報を有する画像データをインターネット経由でサイトにアップする手段と、
前記サイトにアップされた画像データを表示する表示手段と、
前記表示手段の所在する位置を取得する表示位置情報取得手段と、
画像データを異なった画調に変換する画調変換手段と、
を備え、
前記サイトにアップされた画像データを前記表示手段により表示する際に、前記画像データの有する撮像位置情報または表示手段の有する表示位置情報のいずれか若しくは両方に基づいて前記画像データの画調を変換する手段を備えることを特徴とする画像変換装置。
【請求項９】
画像データを撮像する撮像手段と、
前記撮像手段により撮像された撮像位置を取得する撮像位置情報取得手段と、
前記撮像された画像データに前記撮像位置情報を付加し、該撮像位置情報を有する画像データをインターネット経由でサイトにアップするアップロード手段と、
前記サイトにアップされた画像データを表示する表示手段と、
前記アップロード手段の位置を取得するアップロード位置情報取得手段と、
画像データを異なった画調に変換する画調変換手段と、
を備え、
前記サイトにアップされた画像データを前記表示手段により表示する際に、アップロード位置情報に基づいて前記画像データの画調を変換する手段を備えることを特徴とする画像変換装置。
【請求項１０】
画像データをインターネット上のサーバーにアップするアップロード手段と、
前記サーバーの位置を取得するサーバー位置情報取得手段と、
画像データを異なった画調に変換する画調変換手段と、
前記サーバー上で、前記アップロード手段によりアップロードされた画像データを、前記取得されたサーバー位置情報に基づいて前記アップロードされた画像データの画調を前記画調変換手段により変換することを特徴とする画調変換装置。
【請求項１１】
インターネット上のサーバーから画像データをダウンロードするダウンロード手段と、
前記ダウンロードした画像データを表示する表示手段と、
前記表示手段の所在する位置を取得する表示位置情報取得手段と、
画像データを異なった画調に変換する画調変換手段と、
前記表示位置情報に基づいて前記ダウンロードした画像データを前記画調変換手段により画調変換することを特徴とする画調変換装置。
【請求項１２】
画像データを撮像する撮像手段と、
前記撮像手段により撮像された撮像位置を取得する撮像位置情報取得手段と、
画像データを表示する表示手段と、
前記表示手段の所在する位置を取得する表示位置情報取得手段と、
前記撮像位置情報が付加されている画像データを表示する際に、前記撮像位置情報と表示する位置情報の関係に基づいて前記画像データの画調を変換することを特徴とする画調変換装置。
【請求項１３】
前記位置情報はＧＰＳによって取得する手段を有することを特徴とする請求項８ないし１２いずれか一に記載の画調変換装置。
【請求項１４】
前記画調変換手段は複数種類の画調を備え、前記位置情報に応じて変換される画調の優先順位が変わることを特徴とする請求項８ないし１２いずれか一に記載の画調変換装置。
【請求項１５】
端末と、
前記端末とインターネットを介して接続されるサーバーと、
を含む画像変換システムであって、
撮像された撮像位置情報を有する画像データをインターネット経由で前記サーバーにアップする手段と、
前記サーバーにアップされている画像データをダウンロードする手段と、
前記ダウンロードした前記画像データを表示する表示手段と、
前記サーバーの所在位置または前記画像データをアップロードした位置若しくは前記画像データをダウンロードした位置の位置情報を取得する表示位置情報取得手段と、
前記表示手段で表示する際に、前記撮像位置情報または表示位置情報のいずれか若しくは両方に基づいて前記画像データの画調を変換することを特徴とする画調変換システム。
【請求項１６】
コンピュータにより読み取り実行可能なプログラムであって、
画像データに付加されている位置情報または画像データを表示する場所の位置情報のいずれか若しくは両方に基づいて前記画像データの画調を変換する機能を有していることを特徴とするプログラム。
【請求項１７】
画像データをＮ種類の変換パラメータ群に基づいてＮ種類の画調のいずれかに変換可能な画調変換装置において、
位置情報取得手段を有するとともに、
位置情報と対応させて前記Ｎ種類の変換パラメータ群を記憶したパラメータテーブルを備えていることを特徴とする画像変換装置。
【発明の詳細な説明】
【技術分野】
【０００１】
本発明は、画像の画調を変える画調変換方法に関し、特に、その画像を撮影した位置、またはその画像を表示させる位置、あるいはその画像の記憶されている位置等の位置情報に応じて画調を変える画調変換方法、画調変換装置、画調変換システム並びにプログラムに関する。
【背景技術】
【０００２】
近年、デジタルカメラの普及により、写真は、デジタル画像データとして保存することが一般的となっている。画像データは撮影したデジタルカメラで閲覧したり、画像データを取り込んだパーソナルコンピュータ等で閲覧したりすることができるため、写真の楽しみ方にも変化が生じている。
【０００３】
例えば、画像処理を加えることで、元の写真をベースとしつつも趣の異なる画調の画像（例えば、絵画調等）に絵画変換して表示することができるようにした技術（絵画変換技術）も提案されている（例えば、下記特許文献１参照）。
【０００４】
画調の変え方は色々考えられるが、画像データに対して、位置情報を利用して国や地域等により異なる趣向を反映した画像処理を実行する技術が知られている。例えば、ある国では自然な肌色を重視した画像処理が施されるのに対して、別のある国では鮮やかな原色を重視した画像処理が施され、画像処理内容をユーザがマニュアルで指示することなく、地域による趣向の違いに対応した画像処理を実行する技術が開示されている（例えば、下記特許文献２参照）。
【先行技術文献】
【特許文献】
【０００５】
【特許文献１】特開平８−４４８６７号公報
【特許文献２】特開２００７−１９９２１号公報
【発明の概要】
【発明が解決しようとする課題】
【０００６】
しかしながら、特許文献１記載の技術では、画像データを絵画調に変換することはできるが、位置情報を利用することはできなかった。
【０００７】
また、特許文献２記載の技術では、位置情報を利用しているが、撮像位置により、撮像した画像データに対しその地域の趣向の違いに応じた補正を施すのみであり、インターネットを利用して世界の様々な地域に画像を見られる時代に応じてその画像を撮影した位置、またはその画像を表示させる位置、あるいはその画像の記憶されている位置等の位置情報を十分に活用しているとはいえなかった。
【０００８】
そこで、本発明は、画像を撮影した位置、またはその画像を表示させる位置、あるいはその画像の記憶されている位置等の位置情報を活用した画調変換をすることのできる画調変換方法、画調変換装置、画調変換システム並びにプログラムを提供することを目的とする。
【課題を解決するための手段】
【０００９】
本発明は上記事情に鑑みてなされたもので、請求項１記載の発明では、撮像された位置情報を有する画像データをインターネット経由で別の場所で表示する際に、前記画像データの有する撮像された位置情報または表示する場所の位置情報のいずれか若しくは両方に基づいて前記画像データの画調を変換することを特徴とする画調変換方法を提供するものである。
【００１０】
請求項２記載の発明では、画像データをインターネット上のサーバーに位置情報とともにアップする手段を有し、前記サーバー上で、前記アップした場所の位置情報に基づいて前記アップされた画像データの画調を変換することを特徴とする画調変換方法を提供するものである。
【００１１】
請求項３記載の発明では、画像データをインターネット上のサーバーにアップする手段を有し、前記サーバー上で、前記サーバーの設置位置を示す位置情報に基づいて前記アップされた画像データの画調を変換することを特徴とする画調変換方法を提供するものである。
【００１２】
請求項４記載の発明では、インターネット上のサーバーから画像データをダウンロードし表示する際に、ダウンロードした位置情報に基づいて前記ダウンロードした画像データを画調変換することを特徴とする画調変換方法を提供するものである。
【００１３】
請求項５記載の発明では、撮像した位置情報が付加されている画像データを表示する際に、前記撮像した位置情報と表示する位置情報の関係に基づいて前記画像データの画調を変換することを特徴とする画調変換方法を提供するものである。
【００１４】
請求項６記載の発明では、前記位置情報はＧＰＳによって取得することを特徴とする請求項１ないし５いずれか一に記載の画調変換方法を提供するものである。
【００１５】
請求項７記載の発明では、複数種類の画調を備え、前記位置情報に応じて変換される画調の優先順位が変わることを特徴とする請求項１ないし５いずれか一に記載の画調変換方法を提供するものである。
【００１６】
請求項８記載の発明では、画像データを撮像する撮像手段と、前記撮像手段により撮像された撮像位置を取得する撮像位置情報取得手段と、前記撮像された画像データに前記撮像位置情報を付加し、該撮像位置情報を有する画像データをインターネット経由でサイトにアップする手段と、前記サイトにアップされた画像データを表示する表示手段と、前記表示手段の所在する位置を取得する表示位置情報取得手段と、画像データを異なった画調に変換する画調変換手段と、を備え、前記サイトにアップされた画像データを前記表示手段により表示する際に、前記画像データの有する撮像位置情報または表示手段の有する表示位置情報のいずれか若しくは両方に基づいて前記画像データの画調を変換する手段を備えることを特徴とする画像変換装置を提供するものである。
【００１７】
請求項９記載の発明では、画像データを撮像する撮像手段と、前記撮像手段により撮像された撮像位置を取得する撮像位置情報取得手段と、前記撮像された画像データに前記撮像位置情報を付加し、該撮像位置情報を有する画像データをインターネット経由でサイトにアップするアップロード手段と、前記サイトにアップされた画像データを表示する表示手段と、前記アップロード手段の位置を取得するアップロード位置情報取得手段と、画像データを異なった画調に変換する画調変換手段と、を備え、前記サイトにアップされた画像データを前記表示手段により表示する際に、アップロード位置情報に基づいて前記画像データの画調を変換する手段を備えることを特徴とする画像変換装置を提供するものである。
【００１８】
請求項１０記載の発明では、画像データをインターネット上のサーバーにアップするアップロード手段と、前記サーバーの位置を取得するサーバー位置情報取得手段と、画像データを異なった画調に変換する画調変換手段と、前記サーバー上で、前記アップロード手段によりアップロードされた画像データを、前記取得されたサーバー位置情報に基づいて前記アップロードされた画像データの画調を前記画調変換手段により変換することを特徴とする画調変換装置を提供するものである。
【００１９】
請求項１１記載の発明では、インターネット上のサーバーから画像データをダウンロードするダウンロード手段と、前記ダウンロードした画像データを表示する表示手段と、前記表示手段の所在する位置を取得する表示位置情報取得手段と、画像データを異なった画調に変換する画調変換手段と、前記表示位置情報に基づいて前記ダウンロードした画像データを前記画調変換手段により画調変換することを特徴とする画調変換装置を提供するものである。
【００２０】
請求項１２記載の発明では、画像データを撮像する撮像手段と、前記撮像手段により撮像された撮像位置を取得する撮像位置情報取得手段と、画像データを表示する表示手段と、前記表示手段の所在する位置を取得する表示位置情報取得手段と、前記撮像位置情報が付加されている画像データを表示する際に、前記撮像位置情報と表示する位置情報の関係に基づいて前記画像データの画調を変換することを特徴とする画調変換装置を提供するものである。
【００２１】
請求項１３記載の発明では、前記位置情報はＧＰＳによって取得する手段を有することを特徴とする請求項８ないし１２いずれか一に記載の画調変換装置を提供するものである。
【００２２】
請求項１４記載の発明では、前記画調変換手段は複数種類の画調を備え、前記位置情報に応じて変換される画調の優先順位が変わることを特徴とする請求項８ないし１２いずれか一に記載の画調変換装置を提供するものである。
【００２３】
請求項１５記載の発明では、端末と、前記端末とインターネットを介して接続されるサーバーと、を含む画像変換システムであって、撮像された撮像位置情報を有する画像データをインターネット経由で前記サーバーにアップする手段と、前記サーバーにアップされている画像データをダウンロードする手段と、前記ダウンロードした前記画像データを表示する表示手段と、前記サーバーの所在位置または前記画像データをアップロードした位置若しくは前記画像データをダウンロードした位置の位置情報を取得する表示位置情報取得手段と、前記表示手段で表示する際に、前記撮像位置情報または表示位置情報のいずれか若しくは両方に基づいて前記画像データの画調を変換することを特徴とする画調変換システムを提供するものである。
【００２４】
請求項１６記載の発明では、コンピュータにより読み取り実行可能なプログラムであって、画像データに付加されている位置情報または画像データを表示する場所の位置情報のいずれか若しくは両方に基づいて前記画像データの画調を変換する機能を有していることを特徴とするプログラムを提供するものである。
【００２５】
請求項１７記載の発明では、画像データをＮ種類の変換パラメータ群に基づいてＮ種類の画調のいずれかに変換可能な画調変換装置において、位置情報取得手段を有するとともに、位置情報と対応させて前記Ｎ種類の変換パラメータ群を記憶したパラメータテーブルを備えていることを特徴とする画像変換装置を提供するものである。
【発明の効果】
【００２６】
同じ写真でも、位置情報に応じて自動的に様々な画調に変換することができ、新しい写真の楽しみ方を提供することができる。
【図面の簡単な説明】
【００２７】
【図１】（ａ），（ｂ），（ｃ）は本発明を適用した実施形態による画像表示装置１を示す外観図及び表示例を示す図である。
【図２】本実施形態による画像表示装置１の電気的構成を示したブロック図である。
【図３】本実施形態による画像表示装置１と接続されるネットワーク系の構成を示す概念図である。
【図４】本実施形態による表示装置１のメモリカード６０に記憶されている画像ファイルの構造を示す概念図である。
【図５】本実施形態による絵画タッチの状態を示す図である。
【図６】（ａ），（ｂ）は本実施形態による位置情報と所定の地域が対応付けられている様子を説明するための図である。
【図７】本実施形態による位置情報に応じた画調の変換例を示した図である。
【図８】本実施形態による画調変換の動作を示すフローチャートである。
【図９】本実施形態によるパラメータ群を説明するための図である。
【発明を実施するための形態】
【００２８】
以下、本発明の実施形態について図面を参照して説明する。
【００２９】
図１（ａ）は、本発明を適用した実施形態による画像表示装置１を示す外観図である。
【００３０】
画像表示装置１の正面には、本体２に保持された液晶表示パネル３によって構成される表示部が設けられている。この液晶表示パネル３には、タッチパネル５が一体的に構成されており、指でタッチすることにより操作可能となっている。
【００３１】
なお、この実施形態では、本体２の前面上部右側には、撮像素子８が設けられ、側面には、メモリカードスロット６が設けられている。更に、本体上部にＧＰＳ（Global Positioning System）アンテナ７、前面上部左側にセンサ４０が設けられている。
【００３２】
図１（ｂ）は、液晶表示パネル３の表示例を示す。この例はサムネイルと３枚の画調変換画像との計４枚の画像を液晶表示パネル３において行方向に表示している。すなわち、液晶表示パネル３において左端にサムネイル１〜４が列方向に表示されるとともに、例えばサムネイル１に対応してその画調変換画像である「油絵調１」、「水彩画調１」、「パステル画調１」が行方向に表示される。また、他のサムネイル２、３、４も同様であって、各々対応してその画調変換画像である「油絵調２、３、４」、「水彩画調２、３、４」、「パステル画調２、３、４」が行方向に表示される。
【００３３】
また、このときＣＰＵ１１は、液晶表示パネル３に下スクロールボタン３０１、右スクロールボタン３０２、上スクロールボタン３０３及び左スクロールボタン３０４を表示させる。なお、本実施形態においては、平面座標におけるＸ方向を行方向と称し、Ｙ方向を列方向と称する。
【００３４】
この状態で、指によるタッチスライド操作、もしくは下スクロールボタン３０１により下方向へスクロールすることも（矢印Ｘ）、右スクロールボタン３０２により右方向へスクロールすることも（矢印Ｙ）できる。
【００３５】
図１（ｃ）は、液晶表示パネル３に例えば図１（ｂ）で示されたサムネイルの１つを全画面表示したときの表示例を示す。
【００３６】
すなわち、図中４は、この画像変換装置１において画像変換を行う際に、例えば８００画素×６００画素の画像を表示する画像表示領域であり、それ以外の部分は、各種の操作ボタン類を適宜表示するタッチパネル５として機能するようになっている。
【００３７】
図２は、本実施形態による画像表示装置１の電気的構成を示したブロック図である。
【００３８】
画像表示装置１は、ＣＰＵ（Central Processing Unit）１１と、ＣＰＵ１１に接続されたＲＯＭ（Read Only Memory）１２と、ＲＡＭ（Random Access memory）１３と、内部メモリ１４とを備え、ＲＯＭ１２には、ＣＰＵ１１に後述するフローチャートに示す動作を行わせるためのプログラムが記憶されている。また、ＣＰＵ１１は、撮像素子８で撮像した顔を認識処理するための顔認識エンジン１００と、写真画像を絵画調の画像に変換する絵画変換エンジン２００を含んでいる。
【００３９】
顔認識エンジン１００は、写真の中に複数の顔が写っている場合、それぞれの顔を認識する能力を備えている。一般的に写真を絵画調に変換すると、風景や建物の写真は仕上がりが良いが、人物の顔は不自然になる場合がある。そこで、顔認識エンジン１００により画像データの中の顔の領域を検出し、顔の領域については変換度を弱める等の制御を行う。
【００４０】
絵画変換エンジン２００は、例えば、特開平８−４４８６７号公報、特開２００４−２１３５９８号公報等に開示されているような絵画変換処理を行う。
【００４１】
絵画変換とは、画像を構成する各画素を所定のパラメータ（絵画変換パラメータ）に従って変換し、油絵調、水彩画調、パステル調・・・等の絵画風の画像に変換する技術である。絵画変換エンジン２００による絵画変換処理は、メモリカード６０に記憶されている表示対象の画像あるいは後述する配信コンテンツサイト５３０の画像を、絵画調画像に変換し、変換後の絵画調画像を液晶表示パネル３に表示する処理である。
【００４２】
パラメータについては後述するが、所定の画調に変換するために必要なパラメータのセットをパラメータ群Ｐと呼ぶ。
【００４３】
また、絵画調画像への変換に際して目標とする絵画の種類、つまり変換画調画像にする特徴（画調、画風）が選択可能である。本実施形態において選択可能な画調は、油絵調、水彩画風、油彩画風、パステル調、色鉛筆画調、クレヨン画調、イラスト画調、点描画調、エアブラシ、シルクスクリーン風、刺繍絵風、コラージュ（糊付け）風、日本画調、西洋画調等がある。しかし、これに限ることなく、ゴッホ調、モネ調、ピカソ調等、画家の特徴を加味した変換の選択を可能としても良い。また、別の画調のアルゴリズムを後述するメモリカード６０で提供することもできる。絵画調の描画タッチとしては筆の太さも選択可能である。
【００４４】
これら顔認識エンジン１００、絵画変換エンジン２００はＣＰＵ１１と協働するＡＳＩＣ（Application Specific Integrated Circuit：特定用途向け集積回路）、若しくはＤＳＰ（Digital Signal Processor）、あるいはリコンフィギュラブルＬＳＩ（Ｃ言語等のプログラムによって再構成可能なＬＳＩ）によって構成される。
【００４５】
ＲＡＭ１３は、ＣＰＵ１１が必要に応じて種々のデータを一時的に記憶する作業用のメモリである。内部メモリ１４は、ハードディスク、またはフラッシュメモリによる大容量不揮発性メモリであり、詳述しないがフォルダが形成されて多数の画像を保存可能となっている。
【００４６】
表示制御部１６は、ＣＰＵ１１から供給される表示用の画像データに基づいて液晶表示パネル３を駆動することにより、画像や、各種メニューを液晶表示パネル３に表示させる。キー入力部制御部１７は、ＣＰＵ１１の制御に基づいてタッチパネル５の操作信号を入力するものである。
【００４７】
タッチパネル５は、静電容量方式、光学方式、抵抗膜方式、表面弾性波方式、超音波方式、電磁誘導方式等様々存在する中から、適宜選択することができる。指紋認証や、静脈認証の機能を組み込むことも可能である。
【００４８】
メモリカードインターフェース１８は、メモリカードスロット６に着脱自在に装着された各種のメモリカード６０と、ＣＰＵ１１との間におけるデータの入出力を制御する入出力インターフェースである。
【００４９】
撮像制御部１９は、撮像素子８を駆動して被写体の画像を取り込む制御を行う。ベイヤーデータで取り込まれた画像データは、ＹＵＶ、及びＲＧＢデータに変換後、ＪＰＥＧ（Joint Photographic Experts Group）データに圧縮されて内部メモリ１４またはメモリカード６０に記録される。
【００５０】
ＧＰＳ制御部２０は、ＧＰＳアンテナ７で受信した情報を元に緯度、経度、高度、時刻を含む位置情報を取得する。これにより、画像表示装置１の現在位置を知ることができる。このＧＰＳ制御部２０は本実施形態において重要な役割を担う。
【００５１】
２４は地図データベースである。地図情報を記憶しており、ＧＰＳ制御部２０で得られた位置情報と対応付けて地図を表示させるためのものである。地図情報は予め記憶してあってもよいし、メモリカード６０で供給若しくは通信制御部３０を経由して取得してもよい。また撮影した写真の位置情報と地図情報を関連付けて表示させることもできる。
【００５２】
通信制御部３０は、電話回線３１若しくは無線ＬＡＮ３２を経由してインターネット５００に接続し、メールの送受信や、コンテンツの送受信を含む通信制御を行う。
【００５３】
電源制御部７０は、電源プラグ８１を介してＡＣ電源を取り入れ、直流に変換して各部に主電源７１若しくは待機電源７２の電力を供給する。
【００５４】
図３は、本実施形態によるネットワーク系の構成を示す概略構成図である。
【００５５】
５１０はパーソナルコンピュータであり、無線ＬＡＮ３２等で通信制御部３０を介して画像表示装置１と接続でき、画像表示装置１では設定できない複雑な設定等をすることができる。前記ＧＰＳアンテナ７やＧＰＧ制御部２０と同様の機能を有するＧＰＳ７００を備えている。パーソナルコンピュータを代表的に例示したが携帯端末、スマートフォン等でもよい。
【００５６】
５２０は、インターネット５００を介して接続されるネットワークサービスサイトであり、少なくとも認証サーバー５２１、メールサーバー５２２、課金サーバー５２３、コンテンツサーバー５２４、絵画変換サーバー５２５を含む。このネットワークサービスサイト５２０は画像表示装置１のネットワークプロバイダの役割もしている。
【００５７】
認証サーバー５２１は、アクセス者を認証するためのものであり、メールサーバー５２２はメールの送受信を管理するためのものであり、課金サーバー５２３はコンテンツサーバー５２４に保存されている画像、音楽、プログラムその他のコンテンツを有料で提供する際の課金を管理するためのものである。
【００５８】
５３０は、表示装置１に表示させるための各種コンテンツを配信するための配信コンテンツサイトで、多数のコンテンツや、画像等を有しており、インターネット５００を介して画像表示装置１若しくはネットワークサービスサイト５２０へデータを配信することができる。
【００５９】
配信コンテンツサイト５３０の例としては、ライブカメラ映像を設置しライブ映像を配信するライブ映像コンテンツ配信サイトがある。山や空、ビル群等を常時撮影していて、動画若しくは静止画でネットワークサービスサイト５２０へ配信する。
【００６０】
５５０は、ネットワークを介して受信した画像データを画調変換するためのプリントサイトである。認証サーバー５２１、課金サーバー５２３はネットワークサービスサイト５２０と同様である。ストレージサーバー５５１に受信した画像データを一時保存し、絵画変換サーバー５２５の絵画変換エンジンにて変換した変換画像も一時記憶する。
【００６１】
絵画変換サーバー５２５は前記絵画変換エンジン２００と同等若しくはそれに類するものをサーバー側にも持たせたものである。端末である画像表示装置１よりもネットワーク上のサーバーの方がメモリ容量や演算速度に余裕を持たせることができる。
【００６２】
そして、プリントサイト５５０内のプリンタ５５３、若しくはプリント専門業者への発注により変換画像を紙、キャンバス地その他の素材にプリントする。従ってプリントサイト５５０内にプリンタ５５３を有することは必須ではない。
【００６３】
画像表示サーバー５５２は、このプリントサイト５５０内で画像変換処理を行う場合のユーザに対するインターフェース処理を行うためのものである。すなわち、ユーザが自分の写真をアップする方法、絵画調の種類を選択する方法、プリントサイズの選択方法、プリント素材の選択方法等をガイドするための表示を制御する。
【００６４】
６００は絵画変換するためのパラメータ群を記憶するパラメータテーブルである。画調がＮ種類用意されている場合、パラメータ群Ｐ（１）〜Ｐ（ｎ）は画像データを１〜Ｎの画調に変換するためのパラメータのセットである。
【００６５】
７００はＧＰＳである。図２と同様、ＧＰＳアンテナとＧＰＳ制御部を有し、プリントサイト５５０の位置情報を得ることができる。
【００６６】
なお、このようなサーバー構成は一例であって、処理ごとに別々のサーバーを必要とするとは限らない。
【００６７】
図４は、本実施形態による表示装置１のメモリカード６０に記憶されている画像ファイルの構造を示す概念図である。
【００６８】
各画像ファイルは、ＥＸＩＦ（Exchangeable Image File Format）等のデータを有するヘッダＧ１と、撮影された画像であり本画像である画像データＧ２と、その画像データＧ２の縮小画像であるサムネイルＧ３の画像データを含む。なお、表示画面の大きさにより、画面に表示すべき縮小画像の大きさが異なるため、サムネイルとは別に表示用のプレビュー画像Ｇ１０を作成して記憶している。本実施形態では、プレビュー画像も含めてサムネイルと表現している。
【００６９】
図１（ｂ）ではサムネイルを１画面に１６個表示しているが、液晶表示パネル３の画素数と同じ画素数のサムネイル（プレビュー画像）を用意してある。
【００７０】
本画像Ｇ２の画素数は撮影したデジタルカメラ等に依存するが、ＸＧＡ（１０２４×７６８）、ＳＸＧＡ（１２８０×１０２４）、ＵＸＧＡ（１６００×１２００）、ＱＸＧＡ（２０４８×１５３６）・・・等があり、１０００万画素以上のデジタルカメラでは４０００×３０００画素以上になる。液晶表示パネル３は、例えば８００×６００画素の画像を表示できるとすると、８００×６００画素のプレビュー画像が用意されている。図１（ｂ）のサムネイルは１個あたり１６０×１２０画素程度であり、予めＧ３に用意しておいてもよいし、表示時に縮小してもよい。同図（ｃ）の画像表示領域４での全画面表示が８００×６００画素であれば、前記プレビュー画像をそのまま表示すればよい。
【００７１】
つまり、画像ファイルは、一般的なデジタルカメラのファイルフォーマットに準拠し、デジタルカメラで撮像したＳＤカード（メモリカード６０）をメモリカードスロット６に差し込むだけで使用できるようになっている。画像ファイルのフォーマットとしては、ＪＰＥＧ、ＧＩＦ（Graphics Interchange Format）、ＡＶＩ（Audio Video Interleave）、ＰＮＧ（Portable Network Graphics）等種々のフォーマットに適宜対応可能である。
【００７２】
Ｇ１１は前記ＧＰＳ制御部２０で得られた緯度・経度・高度等を含む位置情報を記憶するエリアである。
【００７３】
ここで、画調変換の一種である絵画変換について改めて説明しておく。
【００７４】
絵画変換とは、上述したように写真等の画像を油絵調、水彩画風、油彩画風、パステル調、色鉛筆画調、クレヨン画調、イラスト画調、点描画調、エアブラシ、シルクスクリーン風、刺繍絵風、コラージュ（糊付け）風、日本画調、西洋画調等、いわゆる絵画調に変換するものである。画調（〜調）と画風（〜風）は同様の意味であり、画風の方がより絵画的な表現であるが、技術的には相違はない。
【００７５】
画像処理技術は基本的にフォトレタッチソフト等で知られている各種エフェクト処理（フィルター処理）のパラメータを調整・組み合わせて絵画調に見えるように変換する技術である。
【００７６】
パラメータとは画素にエフェクト処理をかけるための要素である。すなわち、画素は一般的にＲＧＢ各複数ビットの階調で表現されるが、そのビットデータに演算をかけるための要素である。具体例は下記に示すが、例えば赤を強調するときにＲ×２、Ｇ×０．９、Ｂ×０．５、のような演算をする場合の前記“２”、“０．９”、“０．５”はパラメータの一種である。あるいは、予め演算要素がプログラミングされており、赤の強調度１のときはＲ×１．１、強調度２のときはＲ×１．２、強調度３のときはＲ×１．３のような演算をする場合の強調度もパラメータの一種である。
【００７７】
また、注目画素と隣接画素の間で所定の演算をかける場合もある。例えば注目画素Ａ５（ＲＧＢ）を中心に画素Ａ１（ＲＧＢ）、Ａ２（ＲＧＢ）、Ａ３（ＲＧＢ）、Ａ４（ＲＧＢ）、Ａ５（ＲＧＢ）、Ａ６（ＲＧＢ）、Ａ７（ＲＧＢ）、Ａ８（ＲＧＢ）、Ａ９（ＲＧＢ）が上下左右に並んでいるとき、Ａ５（Ｒ）に対してＡ５（Ｒ）＝Ａ１（Ｒ）×ｑ１＋Ａ２（Ｒ）×ｑ２＋Ａ３（Ｒ）×ｑ３＋Ａ４（Ｒ）×ｑ４＋Ａ５（Ｒ）×ｑ５＋Ａ６（Ｒ）×ｑ６＋Ａ７（Ｒ）×ｑ７＋Ａ８（Ｒ）×ｑ８＋Ａ９（Ｒ）×ｑ９という演算を行い、Ｇ、Ｂについても同様の演算を行う。ｑがパラメータであり、この数値（係数）を変えることにより異なったエフェクト処理ができる。
【００７８】
エフェクト処理や絵画変換処理はこのような画素に対する複雑な演算処理が予めプログラミングされているものである。本実施形態では前述した通りこのパラメータのセットをパラメータ群と呼び、画調がＮ種類用意されているとすればパラメータ群Ｐ（１）〜Ｐ（ｎ）と表現する。更に、位置情報を加味した場合、位置情報の地域がＡ、Ｂ、Ｃ、・・・のようにＬ種類あったときのパラメータ群をパラメータ群Ｐ（Ｌ）（ｎ）と表現する。
【００７９】
エフェクト処理の例としては、例えば画像にテクスチャをマッピングし、特殊な質感を与えるテクスチャ処理、画像を輪郭部・細かい模様等のテクスチャ部・平坦部に分類し、それぞれに適宜処理を施すことで、質感と解像感を高める解像度処理、色を色相（Hue）、彩度（Saturation）、明度（Value）の３要素に分類して調整するＨＳＶ処理、画像のＲ（赤）Ｇ（緑）Ｂ（青）各色の度合いを調整するＲＧＢ処理、Ｒ→Ｇ→Ｂの方向に交換するＲＧＢ交換処理、ラプラシアンフィルタと呼ばれるフィルタをかけるエッジ抽出処理、メディアンフィルタと呼ばれるフィルタをかける中間濃度抽出処理、隣接する画素のＲＧＢのヒストグラムを抽出し、画素間のヒストグラムを適宜分布させ、コントラスト修正を行ったり画像のヒストグラムを引き伸ばすイコライズ処理、明るい部分と暗い部分を維持して中間的な明るさを調節するガンマ補正処理、画像の暗い領域を明るくしたり、明るい領域を暗くしたりするシャドー処理、各ピクセルのＲＧＢ値が、しきい値以上の明るさの時に、そのＲＧＢ値を反転するソラリゼーション処理、ランダムにドットを描画し、ノイズを発生させ、ノイズの量や色を調整するノイズ付加処理、等がある。
【００８０】
また、タッチ（筆触）が異なるように加工するエフェクト処理もある。
【００８１】
タッチ（筆触）とは、具体的には、画像データを構成する画素から、色等を基準として相関の高い画素を集め、グループを形成する。続いて、それぞれのグループの画素に対して、同一のグループの画素については色を該グループの代表色に置き換える。こうして色を代表色に置き換えられた画素のグループがそれぞれの筆触を形成する。かかる画像加工処理によると、グループとして集められる画素の相関の取り方、及び同一の色（代表色）の画素により構成されるグループの形状（長さ（距離）、扁平度）を変化させることによって、形成される筆触を変化させることができ、結果的に、画像データが表す画像の画調を様々な絵画調に変更することができる。そして各種画調毎に、それぞれの処理で用いる相関度、グループの形状を表す長さ、扁平度等のパラメータの適切な組み合わせ（パラメータ群）が設定されており、この情報がパラメータメモリ４１０に記憶されている。絵画変換エンジン２００はパラメータメモリ４１０に記憶された情報に基づいて各種画調への変更を行う。
【００８２】
複数の画像データの各々を異なる筆触に変更することは、画調を変更する際に、筆触を構成する画素を集めたグループの形状、例えば、グループの扁平度を調整することによって実現できる。筆触を表す同一の色の画素によって構成されるグループの扁平度を大きくすると、筆触は太くなり、結果として画像のタッチは荒く表示される。同一の色の画素によって構成されるグループの扁平度を小さくすると、小さな筆触を作り出すことができ、結果として、画像のタッチが細かく表示される。
【００８３】
図５は、このようにして生成される筆触を表す画素のグループの一例を示す。例えば、図５（ａ）に示すように、筆触を表す同一の色の画素によって構成されるグループの扁平度を大きくすると、筆触は太くなり、結果として画像のタッチは荒く表示される。図５（ｃ）に示すように、同一の色の画素によって構成されるグループの扁平度を小さくすると、小さな筆触を作り出すことができ、結果として、画像のタッチが細かく表示される。図５（ｂ）に示すグループは標準的な筆触を表している。
【００８４】
以下、本実施形態の画像表示装置１及びネットワークシステムの具体的な動作について説明する。
【００８５】
まず、図２における画像表示装置１の撮像素子８で被写体を撮影する。そのとき、ＧＰＳ制御部２０はＧＰＳアンテナ７で受信した衛星の位置から自分の位置情報を得る。撮像制御部１９により作成された画像データは図４に示すように本画像Ｇ２に対して位置情報Ｇ１１が付与されたものとなる。
【００８６】
この画像データは内部メモリ１４に記憶され、液晶表示パネル３に表示される。前記位置情報Ｇ１１を有しているので、地図データベース２４と連動して地図上の撮像位置に撮像画像データを表示させることができる。
【００８７】
ここで絵画変換したい場合は、上述した油絵調、水彩画風、油彩画風、パステル調、色鉛筆画調、クレヨン画調、イラスト画調、点描画調、エアブラシ、シルクスクリーン風、刺繍絵風、コラージュ（糊付け）風、日本画調、西洋画調等の画調の一つを選択し、絵画変換エンジン２００により絵画変換処理を行う。
【００８８】
この画像データをインターネットサイト、例えばプリントサイト５５０にアップしたいときは、通信制御部３０、インターネット５００を介してプリントサイト５５０にアップし、ストレージサーバー５５１にその画像データが記憶される。この記憶された画像は画像表示装置１からでもパーソナルコンピュータ５１０からでも見ることができる。
【００８９】
そして更にプリントサイト５５０上で絵画変換したい場合は、絵画変換サーバー５２５により前述したような画調に絵画変換できる。
【００９０】
さて、本実施形態では、位置情報を利用して画調を変えることを特徴としている。
【００９１】
ここで、パラメータメモリ４１０若しくはパラメータテーブル６００では、図６（ａ）に例示するように所定の緯度・経度の範囲と所定の地域と対応付けている。ＧＰＳ制御部２０で得られる緯度・経度が所定範囲内にあるときは地域Ａ、別の所定範囲内にあるときは地域Ｂ、・・・・のように対応付けていることを示す。緯度・経度ａ−緯度・経度ｂのように単純化して示してあるが、国や都市などの複雑な形状をした範囲を地域と対応付けることができる。また、同図（ｂ）に示すように、所定の地域は国であってもよく、その国に受け入れられやすい画調が対応付けられている。○○画調に対応するというのは、技術的には元の画像データを○○画調に変換するためのパラメータ群に対応していうことを意味する。これら図６（ａ）、（ｂ）に示すテーブルの対応関係は固定である必要はなく、ユーザの好みに合わせて若しくはプログラムの処理により適宜変更可能である。
ここで、パラメータメモリ４１０若しくはパラメータテーブル６００には、図６（ａ）に例示するように所定の緯度・経度の範囲と所定の地域と対応付けている。また、同図（ｂ）に示すように、所定の地域は国であってもよく、その国に受け入れられやすい画調が対応付けられている。○○画調に対応するというのは、技術的には元の画像データを○○画調に変換するためのパラメータ群に対応していうことを意味する。
【００９２】
本実施形態では、所定の地域に対応付けられた画調が、当該地域に対し人々が抱くイメージに沿ったものとなるようにパラメータが組み合わされている。例えば、地域「日本」には、日本から人々が抱くイメージである「日本画調」が対応付けられている。一方、地域「フランス」には、フランスから人々が抱く「西洋画調」が対応付けられている。設定された画調は、コントラスト、明るさ、色の濃さ、色合い、シャープネス等の複数のパラメータの組み合わせにより規定される。例えば、「日本画調」に対しては、陰影がなく色調が濃厚でなくなるようなパラメータ群が設定されている。一方、「西洋画調」に対しては、陰影が強調され色調が濃厚となるパラメータ群が設定されている。
【００９３】
画調は前述したＮ種類の中からユーザが自由に選んで絵画変換することもできるが、本実施形態は位置情報に基づいて自動的に画調を選択することに特徴がある。
【００９４】
次に位置情報と画調変換との関係についていくつか例示する。図７において同図（１）の元画像３００を日本画調に画調変換したものが同図（２）の３００Ａ、西洋画調に画調変換したものが同図（３）の３００Ｂであり、３０１は人物部分、３０２は背景部分を示し、それぞれ日本画調、西洋画調に画調変換した部分が３０１Ａ、３０１Ｂ、３０２Ａ、３０２Ｂである。元画像３００全体に同じ画調変換をかけてもよいし、人物部分３０１と背景部分３０２で異なった画調変換を行うか一方だけに画調変換を行ってもよい。また、背景画像と人物画像を合成することも可能であり、位置情報に応じて背景画像だけを変えていってもよい。
【００９５】
まず例示の第１として、撮影した位置に応じた画調を選択するものがある。これは、画像表示装置１において、撮像素子８で撮影したときのＧＰＳ制御部２０で得た位置情報に従って、パラメータ４１０をアクセスし、撮像地域に適した画調を選択して絵画変換する。例えば撮影地が日本だとすると日本から人々が抱くイメージである「日本画調」に画調変換される（図７（２）参照）。もちろんこれは一例である。技術的には位置情報とパラメータ群を対応させることに特徴があるのであって、「日本から人々が抱くイメージ」のような感覚的なものは対応の例を示したものである。
【００９６】
第２に、画像データが、写真をインターネット上に公開している人の所在地に適した画調に変換されて表示されるものがある。これは、プリントサイト５５０に複数の国や地域から多数の画像データがアップされているが、前記第１の例で示したように画像データに位置情報Ｇ１１が付属している場合、その位置情報とパラメータテーブル６００から前記位置情報と対応するパラメータ群を読み出し対応する画調で画像データを絵画変換する。アップした写真がアメリカで撮影されたものであって、アップした人が第１の例のように日本にいて、鑑賞する人が第２の例のようにフランスにいたとすると、フランスにいながら「日本から人々が抱くイメージ」としての「日本画調」に画調変換される（図７（２）参照）。
【００９７】
第３に、画像データが、写真がアップされているサーバーの所在地に適した画調に変換されて表示されるものがある。これは、プリントサイト５５０の設置されている場所をＧＰＳ７００により位置情報を取得してパラメータテーブル６００から前記位置情報と対応するパラメータ群を読み出し対応する画調で画像データを絵画変換する。プリントサイト５５０が仮にイタリアのベニスに設置されていたとすると水の都から連想する「水彩画調」に画調変換される。
【００９８】
第４に、画像データが、写真をインターネットからダウンロードした人の所在地に適した画調に変換されて表示されるものがある。インターネットを介して撮影場所とは違った場所で写真を鑑賞している人に適した画調に変換されて表示されるもので、例えばパーソナルコンピュータ５１０からプリントサイト５５０をアクセスしているユーザが、ＧＰＳ７００で位置情報を取得し、画像表示装置１からプリントサイト５５０にアップされた画像もしくはプリントサイト５５０に用意されている画像をパーソナルコンピュータ５１０で表示させる場合、前記ＧＰＳ７００の位置情報をプリントサイト５５０に送ってプリントサイト５５０のパラメータテーブル６００をアクセスし、撮像地域に適した画調を選択して絵画変換する。パーソナルコンピュータ５１０は携帯電話や情報端末に置き換えることができる。パーソナルコンピュータ５１０の所在地がフランスであったとすると、画像データはフランスから人々が抱く「西洋画調」に画調変換される（図７（３）参照）。
【００９９】
第５に、画像データを撮影した場所とその画像データを鑑賞する場所との距離に応じて画調を変えるというものがある。画像データには撮像位置情報Ｇ１１が付属しており、表示側にＧＰＳ等の表示位置情報を取得する手段があれば、両者の緯度経度から距離を算出することができる。距離が離れている場合は画調の変換パラメータ強度を強くし、元画像との差を大きくする。距離が近い場合は画調の変換パラメータ強度を弱くし、元画像との差を少なくすること等が考えられる。
【０１００】
第６に、スライドショー表示をする場合を考える。例えば、自宅の画像表示装置１で観る場合でのスライドショーにおける一つの写真に対して、最初に元の画像を表示、次に撮影場所に応じた画調変換画像を表示、最後に観覧場所（自宅）に応じた画調変換画像を表示という流れのスライドショーを実行させることができる。
【０１０１】
もう一つの例として、プリントサイト５５０等の写真共有サイトに公開されている写真の場合は、最初に元の画像を表示、次に撮影場所に応じた画調変換画像を表示、続いて写真を公開している人のホーム（所在地）に応じた画調変換画像を表示、最後に観ている人の観覧場所（自宅）に応じた画調変換画像を表示、という流れのスライドショーを実行させることができる。
【０１０２】
第７に、画像表示装置１を移動させていくときに、同じ画像データを表示させていても、ＧＰＳ制御部２０から得られる位置情報に応じて画調を変えていくものがある。前記第５の例で説明したように、移動に伴い画像データの撮影場所と表示場所の間の距離が変化することを検出してもよいが、現在画像表示装置１の存在している位置情報を取得し、例えば図６に示すような地域に応じて画調が変わっていくことも趣向があろう。
【０１０３】
次に、画調変換の概略的な処理について図８のフローチャートを参照して説明する。
【０１０４】
まず、絵画調等の画調変換をする際は、変換したい元画像データを決める。撮像素子８で撮像してもよいし、メモリカード６０に記憶されている画像データでもよい。決定した画像は内部メモリ１４に取り込まれる（ステップＳ２０２）。そして、画像表示装置１内で画調変換を行うか、インターネット経由でプリントサイト５５０へアップして画調変換を行うか選択することができる（ステップＳ２０４）。前述したようにプリントサイト５５０の絵画変換サーバー５２５はメモリ容量や演算速度の点で有利な面がある。画像表示装置１内で変換処理を行うとすると、ステップＳ２０６へ進み、画調変換を行う前処理として、ＢＭＰ（ビットマップ形式）の画像データを変換する。ＪＰＥＧは画像データが圧縮されているので、一般ＢＭＰ形式に戻してから各画素に対してパラメータ変換をかけるためである。
【０１０５】
次に、どのような画調に変換したいかを選択する。これは前述したように、予めN種類用意されている油絵調、水彩画風、油彩画風、パステル調、色鉛筆画調、クレヨン画調、イラスト画調、点描画調、エアブラシ、シルクスクリーン風、刺繍絵風、コラージュ（糊付け）風、日本画調、西洋画調等の画調の一つを選択するものである。
【０１０６】
次に、ステップＳ２１０で顔認識エンジン１００を用いて対象画像データの顔認識処理を行う。これは、人間の顔はあまり絵画風に変換をかけると不自然さが目立つ場合があるので、顔認識により顔の領域と判断された部分にはあまり変換をかけないか、弱い変換をかけて自然さを保つためである。
【０１０７】
続いてステップＳ２１２では、パラメータメモリ４１０から選択された画調のパラメータ群Pを読み込む。パラメータ群Pについては図９にて後述する。要は油絵調を選択したのであれば画像データを油絵調に変換するためのパラメータのセットである。
【０１０８】
しかして、ステップS２１４で、読み込んだ元の画像データに対して読み込んだパラメータ群で顔認識の結果を勘案しながら画調変換の処理を行う。
【０１０９】
ここで本実施形態の特徴であるＧＰＳ制御部２０によって得た位置情報を利用した画調変換を行う。位置情報を利用するモード（位置モード）でなければステップＳ２２４へ進む。位置モードであればステップＳ２１８へ進み、ＧＰＳ制御部２０で得られた位置情報を読み込む。そして、ステップＳ２２０で改めて位置情報を勘案した画調変換処理を行うのであるが、位置情報若しくは位置情報で示される地域に応じた画調変換をする方法は２つある。
【０１１０】
１つは、Ｌ種類ある地域に、Ｎ種類ある画調のいずれかひとつを割り当てる方法である。例えば上で説明した日本という地域に日本画調という画調を割り当てるものである。この場合は、改めて該当地域に割り当てられている画調のパラメータ群で改めて画調変換すればよい。もちろん、画調変換済みの画像に対してではなく、元画像に対して地域に対応した画調に変換するものである。
【０１１１】
２つめは、同じ画調でも、地域によってパラメータを微妙に異ならせる場合である。すなわち、同じ油絵調でも日本風の油絵調、フランス風の油絵調、イタリア風の油絵調・・・等の画調変換を行う。
【０１１２】
図９はこのためのパラメータテーブルを示したもので、Ｎ種類の画調に対してＬ種類の地域の画調を組み合わせてマトリクス状に構成している。パラメータ群Ｐ（Ｌ）（ｎ）というのは画調ｎ（油絵調であればｎ１）について地域Ｌに適したパラメータのセットで構成されている。従って上記２つめの事例では、位置情報がイタリアを表しており、希望した画調が水彩画であれば、イタリアの地域を仮にＬ３とすると、水彩画はｎ２であるから、パラメータ群ＰはＰ（Ｌ3）（ｎ2）となる。
【０１１３】
なお、位置情報として撮像場所、画像アップ場所、画像ダウンロード場所、画像表示場所、サーバーの設置場所等色々考えられるのは上述した第１〜第６の例示のとおりである。
【０１１４】
以上説明したように、本実施形態によれば、同じ写真でも、位置情報に応じて様々な画調に変換することができ、新しい写真の楽しみ方を提供することができる。
【０１１５】
本実施形態の効果は以下の通りである。
【０１１６】
請求項１記載の発明に基づく実施形態によれば、撮像された位置情報を有する画像データをインターネット経由で別の場所で表示する際に、前記画像データの有する撮像された位置情報または表示する場所の位置情報のいずれか若しくは両方に基づいて前記画像データの画調を変換することを特徴とする画調変換方法を提供するので、画像データが、インターネットを介して撮影場所とは違った場所で写真を鑑賞している人に適した画調に変換されて表示される。
【０１１７】
請求項２記載の発明に基づく実施形態によれば、撮像された位置情報を有する画像データをインターネット経由で別の場所で表示する際に、前記画像データの有する撮像された位置情報または表示する場所の位置情報のいずれか若しくは両方に基づいて前記画像データの画調を変換することを特徴とする画調変換方法を提供するので、人の所在地に適した画調に変換されて表示される。
【０１１８】
請求項３記載の発明に基づく実施形態によれば、画像データをインターネット上のサーバーにアップする手段を有し、前記サーバー上で、前記サーバーの設置位置を示す位置情報に基づいて前記アップされた画像データの画調を変換することを特徴とする画調変換方法を提供するので、画像データが、写真がアップされているサーバーの所在地に適した画調に変換されて表示される。
【０１１９】
請求項４記載の発明に基づく実施形態によれば、インターネット上のサーバーから画像データをダウンロードし表示する際に、ダウンロードした位置情報に基づいて前記ダウンロードした画像データを画調変換することを特徴とする画調変換方法を提供するので、画像データが、写真をインターネットからダウンロードした人の所在地に適した画調に変換されて表示される。
【０１２０】
請求項５記載の発明に基づく実施形態によれば、撮像した位置情報が付加されている画像データを表示する際に、前記撮像した位置情報と表示する位置情報の関係に基づいて前記画像データの画調を変換することを特徴とする画調変換方法を提供するので、画像データが、写真を撮影した場所と写真を鑑賞する場所の位置関係に応じて適した画調に変換されて表示される。例えば同じ国内であれば画調をあまり変えず、遠く離れた国で鑑賞されるときには画調変換の強度をあげることも考えられる。
【０１２１】
請求項６記載の発明に基づく実施形態によれば、前記位置情報はＧＰＳによって取得することを特徴とする請求項１ないし５いずれか一に記載の画調変換方法を提供するので、ＧＰＳにより位置情報を取得するので、撮像手段、表示手段、サーバー、ユーザ等の位置が移動したとしても現在の所在場所を取得することができる。
【０１２２】
請求項７記載の発明に基づく実施形態によれば、複数種類の画調を備え、前記位置情報に応じて変換される画調の優先順位が変わることを特徴とする請求項１ないし５いずれか一に記載の画調変換方法を提供するので、複数種類の画調が用意されているとき、場所に応じてその場所に適した画調が優先的に選択されるので、画調選択が容易になる。
【０１２３】
請求項８記載の発明に基づく実施形態によれば、画像データを撮像する撮像手段と、前記撮像手段により撮像された撮像位置を取得する撮像位置情報取得手段と、前記撮像された画像データに前記撮像位置情報を付加し、該撮像位置情報を有する画像データをインターネット経由でサイトにアップする手段と、前記サイトにアップされた画像データを表示する表示手段と、前記表示手段の所在する位置を取得する表示位置情報取得手段と、画像データを異なった画調に変換する画調変換手段と、を備え、前記サイトにアップされた画像データを前記表示手段により表示する際に、前記画像データの有する撮像位置情報または表示手段の有する表示位置情報のいずれか若しくは両方に基づいて前記画像データの画調を変換する手段を備えることを特徴とする画像変換装置を提供するので、画像データをインターネットのサイトにアップしたりダウンロードしたりしたときに、同じ画像でも色々な場所を経由して鑑賞者のもとに届くので、その画像が経由した場所のいずれかに適した画調で表示することができる。
【０１２４】
請求項９記載の発明に基づく実施形態によれば、画像データを撮像する撮像手段と、前記撮像手段により撮像された撮像位置を取得する撮像位置情報取得手段と、前記撮像された画像データに前記撮像位置情報を付加し、該撮像位置情報を有する画像データをインターネット経由でサイトにアップするアップロード手段と、前記サイトにアップされた画像データを表示する表示手段と、前記アップロード手段の位置を取得するアップロード位置情報取得手段と、画像データを異なった画調に変換する画調変換手段と、を備え、前記サイトにアップされた画像データを前記表示手段により表示する際に、アップロード位置情報に基づいて前記画像データの画調を変換する手段を備えることを特徴とする画像変換装置を提供するので、元の画像データをどこでアップロードしたのか感覚的に分かりやすい効果がある。
【０１２５】
請求項１０記載の発明に基づく実施形態によれば、画像データをインターネット上のサーバーにアップするアップロード手段と、前記サーバーの位置を取得するサーバー位置情報取得手段と、画像データを異なった画調に変換する画調変換手段と、前記サーバー上で、前記アップロード手段によりアップロードされた画像データを、前記取得されたサーバー位置情報に基づいて前記アップロードされた画像データの画調を前記画調変換手段により変換することを特徴とする画調変換装置を提供するので、通常は意識しないサーバーの設置されている位置により画調が変わるので興味深い。
【０１２６】
請求項１１記載の発明に基づく実施形態によれば、インターネット上のサーバーから画像データをダウンロードするダウンロード手段と、前記ダウンロードした画像データを表示する表示手段と、前記表示手段の所在する位置を取得する表示位置情報取得手段と、画像データを異なった画調に変換する画調変換手段と、前記表示位置情報に基づいて前記ダウンロードした画像データを前記画調変換手段により画調変換することを特徴とする画調変換装置を提供するので、画像データをダウンロードした場所に適した画調に変換される効果を奏する。
【０１２７】
請求項１２記載の発明に基づく実施形態によれば、画像データを撮像する撮像手段と、前記撮像手段により撮像された撮像位置を取得する撮像位置情報取得手段と、画像データを表示する表示手段と、前記表示手段の所在する位置を取得する表示位置情報取得手段と、前記撮像位置情報が付加されている画像データを表示する際に、前記撮像位置情報と表示する位置情報の関係に基づいて前記画像データの画調を変換することを特徴とする画調変換装置を提供するので、画像データを撮影した場所と画像データを見る場所が例えばどのくらい離れているかによって画調が変わってくるので、友人同士で画像を交換するとき等にお互いがどれくらい離れたところにいるのか、どれくらい近くにいるのかを感じることができて好適である。ゲームアプリケーション等への適用も可能である。
【０１２８】
請求項１３記載の発明に基づく実施形態によれば、前記位置情報はＧＰＳによって取得する手段を有することを特徴とする請求項８ないし１２いずれか一に記載の画調変換装置を提供するので、世界中どこでもその場所に適した画調の画調変換画像を得ることができる。
【０１２９】
請求項１４記載の発明に基づく実施形態によれば、前記画調変換手段は複数種類の画調を備え、前記位置情報に応じて変換される画調の優先順位が変わることを特徴とする請求項８ないし１２いずれか一に記載の画調変換装置を提供するので、多数の画調の中から適した画調を絞り込むのが容易になる効果を奏する。
【０１３０】
請求項１５記載の発明に基づく実施形態によれば、端末と、前記端末とインターネットを介して接続されるサーバーと、を含む画像変換システムであって、撮像された撮像位置情報を有する画像データをインターネット経由で前記サーバーにアップする手段と、前記サーバーにアップされている画像データをダウンロードする手段と、前記ダウンロードした前記画像データを表示する表示手段と、前記サーバーの所在位置または前記画像データをアップロードした位置若しくは前記画像データをダウンロードした位置の位置情報を取得する表示位置情報取得手段と、前記表示手段で表示する際に、前記撮像位置情報または表示位置情報のいずれか若しくは両方に基づいて前記画像データの画調を変換することを特徴とする画調変換システムを提供するので、位置情報を利用した種々の画調変換サービスが可能な画調変換システムを実現することができる。
【０１３１】
請求項１６記載の発明に基づく実施形態によれば、コンピュータにより読み取り実行可能なプログラムであって、画像データに付加されている位置情報または画像データを表示する場所の位置情報のいずれか若しくは両方に基づいて前記画像データの画調を変換する機能を有していることを特徴とするプログラムを提供するので、携帯端末やフォトフレーム、パーソナルコンピュータ、画像表示装置等色々なシステムでプログラムを利用することができる。
【０１３２】
請求項１７記載の発明に基づく実施形態によれば、画像データをＮ種類の変換パラメータ群に基づいてＮ種類の画調のいずれかに変換可能な画調変換装置において、位置情報取得手段を有するとともに、位置情報と対応させて前記Ｎ種類の変換パラメータ群を記憶したパラメータテーブルを備えていることを特徴とする画像変換装置を提供するので、地域によってその地域ごとの好みに適した画調に変換することができる。
【符号の説明】
【０１３３】
１    画像表示装置
２    本体
３    液晶表示パネル
４    画像表示領域
５    タッチパネル
７    アンテナ
８    撮像素子
１１    ＣＰＵ
１２    ＲＯＭ
１３    ＲＡＭ
１４    内部メモリ
１６    表示制御部
１７    キー入力部制御部
１８    メモリカードインターフェース
１９    撮像制御部
２０    ＧＰＳ制御部
３０    通信制御部
３１    電話回線
３２    無線ＬＡＮ
６０    メモリカード
７０    電源制御部
１００    顔認識エンジン
２００    絵画変換エンジン
４１０    パラメータメモリ
５００    インターネット
５１０    パーソナルコンピュータ
５２０    ネットワークサービスサイト
５２１    認証サーバー
５２２    メールサーバー
５２３    課金サーバー
５２４    コンテンツサーバー
５２５    絵画変換サーバー
５３０    配信コンテンツサイト
５５０    プリントサイト
５５１    ストレージサーバー
５５２    画像表示サーバー
５５３    プリンタ
６００    パラメータテーブル
７００    ＧＰＳ
【図１】
2012134897.tif 000003
【図２】
2012134897.tif 000004
【図３】
2012134897.tif 000005
【図４】
2012134897.tif 000006
【図５】
2012134897.tif 000007
【図６】
2012134897.tif 000008
【図７】
2012134897.tif 000009
【図８】
2012134897.tif 000010
【図９】
2012134897.tif 000011